(57)【要約】【課題】給水量に変動が生じた場合であっても安定した遮音効果が発揮できると共に、シンク内の水の滞積も有効に防止できるディスポーザの投入口蓋を提供する。【解決手段】投入口蓋１４は、厨芥投入口に着脱自在に装着されると共に、注水される水をディスポーザの破砕室に案内する流水路２０を備え、破砕室内と外部とを流水路２０に貯留する水により水封する。流水路２０に、貯留する水による水圧の高低に応じて、その水圧で開口部１６ｃの開度が拡縮調整される可動式開口部を備える。可動式開口部は、投入口蓋１４の蓋本体部１５と蓋可動部１６とに装着された永久磁石１８、１９の反発力により水圧が低い場合に開度が縮閉調整され、水圧が高い場合に永久磁石１８、１９の反発力に抗して開度が拡開調整される。【選択図】        図２
2004290849.tif 000002
【特許請求の範囲】
【請求項１】
ディスポーザが装着されたシンクの厨芥投入口に着脱自在に装着されると共に、注水される水をディスポーザの破砕室に案内する流水路を備え、破砕室内と外部とを流水路に貯留する水により水封するディスポーザの投入口蓋において、
前記投入口蓋の前記流水路に、投入口蓋上に貯留する水による水圧の高低に応じて、その水圧で開度が拡縮調整される可動式開口部が備えられていることを特徴とするディスポーザの投入口蓋。
【請求項２】
前記可動式開口部は、前記投入口蓋に装着された磁性体の反発力もしくは吸引力により前記水圧が低い場合に前記開度が縮閉調整され、前記水圧が高い場合に磁性体の反発力もしくは吸引力に抗して前記開度が拡開調整されることを特徴とする請求項１に記載のディスポーザの投入口蓋。
【請求項３】
前記可動式開口部は、前記投入口蓋に装着された弾性体の復原力により前記水圧が低い場合に前記開度が縮閉調整され、前記水圧が高い場合に弾性体の復原力に抗して前記開度が拡開調整されることを特徴とする請求項１に記載のディスポーザの投入口蓋。
【請求項４】
前記可動式開口部は、前記投入口蓋に備えられた密閉空間部内に充填された空気の空気圧により前記水圧が低い場合に前記開度が縮閉調整され、前記水圧が高い場合に空気の空気圧に抗して前記開度が拡開調整されることを特徴とする請求項１に記載のディスポーザの投入口蓋。
【発明の詳細な説明】
【０００１】
【発明の属する技術分野】
本発明は、ディスポーザにより厨房の生ゴミ等を破砕する際、厨芥投入口に装着されるディスポーザの投入口蓋に関するものである。
【０００２】
【従来の技術】
一般に、調理時に生じる生ゴミ等をディスポーザで処理する場合、シンクの底部に備えられた厨芥投入口より生ゴミ等をディスポーザの破砕室に投入した後、その厨芥投入口に投入口蓋を装着し、注水状態でディスポーザを運転して生ゴミ等の破砕を行っていた。
【０００３】
前記投入口蓋には、破砕室に水を案内するためトラップ部分を有する流水路が備えられており、注水される水は流水路を通じて破砕室に案内されると共に、トラップ部分に貯留する水により破砕室内と外部、即ちシンク側とを水封し、破砕室内の破砕音等の騒音がシンク側に漏れないように遮音する構造とされていた（例えば、特許文献１ないし特許文献３参照。）。
【０００４】
【特許文献１】
特開２００２−３０１３９６号公報
【特許文献２】
特開平１０−３１４６１６号公報
【特許文献３】
特開平１０−６６８９１号公報
【０００５】
【発明が解決しようとする課題】
しかしながら、特許文献１ないし特許文献３に開示のような投入口蓋の構造によれば、厨芥投入口に対する投入口蓋の装着状態において、流水路の開度が常に一定であるため、シンク内に遮音に好適な一定量の水が貯留した状態で破砕室内に水を案内すべく、給水量を所定の値に維持しておく必要があり、微妙な水量調整が難しいという問題があった。
【０００６】
また、集合住宅等のように隣近所の使用水量の変化によって水圧が変動する場合、調整した給水量が変動し、給水量が少なくなった場合には、貯留する水量が少なくなって十分な遮音効果が発揮できなくなるおそれがあり、逆に給水量が多くなった場合には、シンク内に水が滞積してシンクから溢れるおそれもあった。
【０００７】
そこで、本発明は上記問題点に鑑み、給水量に変動が生じた場合であっても安定した遮音効果が発揮できると共に、シンク内の水の滞積も有効に防止できるディスポーザの投入口蓋を提供することを目的とする。
【０００８】
【課題を解決するための手段】
上記目的を達成するための技術的手段は、ディスポーザが装着されたシンクの厨芥投入口に着脱自在に装着されると共に、注水される水をディスポーザの破砕室に案内する流水路を備え、破砕室内と外部とを流水路に貯留する水により水封するディスポーザの投入口蓋において、前記投入口蓋の前記流水路に、投入口蓋上に貯留する水による水圧の高低に応じて、その水圧で開度が拡縮調整される可動式開口部が備えられている点にある。
【０００９】
また、前記可動式開口部は、前記投入口蓋に装着された磁性体の反発力もしくは吸引力により前記水圧が低い場合に前記開度が縮閉調整され、前記水圧が高い場合に磁性体の反発力もしくは吸引力に抗して前記開度が拡開調整される構造としてもよい。
【００１０】
さらに、前記可動式開口部は、前記投入口蓋に装着された弾性体の復原力により前記水圧が低い場合に前記開度が縮閉調整され、前記水圧が高い場合に弾性体の復原力に抗して前記開度が拡開調整される構造としてもよい。
【００１１】
また、前記可動式開口部は、前記投入口蓋に備えられた密閉空間部内に充填された空気の空気圧により前記水圧が低い場合に前記開度が縮閉調整され、前記水圧が高い場合に空気の空気圧に抗して前記開度が拡開調整される構造としてもよい。
【００１２】
【発明の実施の形態】
以下、本発明の第１の実施形態を図面に基づいて説明すると、図１に示される如く、流し台におけるシンク１の排水口２には、厨芥投入口３ａを構成する取付け管３がパッキング４を介して水密状に、リングナット５により締付け固定されている。
【００１３】
６は可撓筒体としてのゴム連結管で、ゴム材により断面円形の筒状に形成されている。ゴム連結管６は、上部の厚肉に形成された上リジッド連結部６ａと、下部の厚肉に形成された下リジッド連結部６ｂと、これら上リジッド連結部６ａと下リジッド連結部６ｂとの間の外方膨出状に湾曲形成された薄肉の振動吸収筒部６ｃとから構成されている。
【００１４】
そして、ゴム連結管６の上リジッド連結部６ａが取付け管３の下端部に外嵌されると共に締付けバンド７により締付け固定され、下リジッド連結部６ｂがディスポーザ本体８の破砕室８ａ上部を構成する筒状上ケーシング８ｂの上端部に外嵌されると共に締付けバンド９により締付け固定され、ここに、取付け管３とディスポーザ本体８の上ケーシング８ｂとがゴム連結管６を介して互いに連結される構造とされている。
【００１５】
また、取付け管３の下端部と上ケーシング８ｂの上端部との相互間におけるゴム連結管６内に位置して、筒状の金属製支持体１１が配置されている。この支持体１１は取付け管３下端部の内径、もしくは上ケーシング８ｂ上端部の内径と略同径の内径を有する円筒状に形成されており、支持体１１の上端外周には径方向外方に張出状とされた周方向環状の上係合ツバ部１１ａを備えると共に、支持体１１の下端外周には径方向外方に張出状とされた周方向環状の下係合ツバ部１１ｂを備えた構造とされている。
【００１６】
そして、上リジッド連結部６ａの内周面に形成された段部（実施形態では凹溝部）に支持体１１の上係合ツバ部１１ａが挿入されると共に、下リジッド連結部６ｂの内周面に形成された段部（実施形態では凹溝部）に支持体１１の下係合ツバ部１１ｂが挿入された状態で、ゴム連結管６内に支持体１１が配置されている。
【００１７】
また、この際、上係合ツバ部１１ａの下面と凹溝部を構成する上リジッド連結部６ａとの相互間に、ゴム材等の弾性材よりなるリング状の弾性体１２が着脱交換自在に介在された構造とされている。
【００１８】
従って、上ケーシング８ｂは取付け管３側に、弾性体１２の付勢力の下、支持体１１を介して吊下げ状態で支持された構造となり、ここに、これら支持体１１および弾性体１２は、上ケーシング８ｂ、即ちディスポーザ本体８を吊持する防振吊持機構を構成している。
【００１９】
また、厨芥投入口３ａの高さ方向中間部には、ゴム材等の可撓材よりなるスプラッシュガード１３が着脱自在に装着され、厨芥投入口３ａの高さ方向上部には投入口蓋１４が着脱自在に装着されている。
【００２０】
投入口蓋１４は、図２および図３にも示される如く、厨芥投入口３ａの内周面に密着状とされる円環状の蓋本体部１５と、蓋本体部１５の中央部に上下方向に対して移動自在に支持された蓋可動部１６を備えた構造とされている。
【００２１】
即ち、蓋本体部１５は、合成樹脂等により適宜厚みを有する円環状に形成され、中央部に形成された円形開口は段差部を介して上半部の大径開口１５ａと下半部の小径開口１５ｂとを有した構造とされている。
【００２２】
また、蓋可動部１６は、合成樹脂等により前記小径開口１５ｂの直径と同径もしくは僅かに小径の外径を有する有底円筒状に形成され、その上部には前記大径開口１５ａの直径と同径もしくは僅かに小径の外径を有すると共に大径開口１５ａの軸心方向長さよりも短い張出保持部１６ａを有した構造とされている。
【００２３】
そして、蓋可動部１６の底部１６ｂが蓋本体部１５より下方に突出状に配置されると共に、張出保持部１６ａが蓋本体部１５の大径開口１５ａに位置した状態で配置され、ここに、蓋可動部１６は蓋本体部１５に上下方向に摺動自在に支持された構造とされている。なお、１７は蓋本体部１５に装着された保持蓋で、円環板状に形成され、蓋可動部１６の離脱を防止している。
【００２４】
また、蓋可動部１６の底部１６ｂ付近の周壁部に、周方向に等間隔を有して複数（本実施形態では４個所）の開口部１６ｃが形成されている。
【００２５】
さらに、蓋本体部１５における小径開口１５ｂ部分と、それに対向する蓋可動部１６の張出保持部１６ａ部分に、それぞれ円環状の磁性体としての永久磁石１８、１９が接着剤による接着や埋設状とした一体成形等により配置されている。この際、互いの永久磁石１８、１９が反発力を発揮するように同じ極が対向して配置された構造とされている。
【００２６】
従って、厨芥投入口３ａに装着された通常状態では、図１および図２に示される如く、両永久磁石１８、１９の反発力により、蓋可動部１６は上方に離反した状態で蓋本体部１５に支持され、各開口部１６ｃの閉鎖方向に移動されており、各開口部１６ｃによる開度は少ない状態とされている。なお、この通常状態で各開口部１６ｃが完全に閉鎖される構造であってもよい。
【００２７】
また、蛇口から供給される水の給水量が各開口部１６ｃを通じて流れ出る水量よりも多い場合には、投入口蓋１４上、即ち底部１６ｂ上に水が貯留し、この貯留する水による水圧が高くなると、両永久磁石１８、１９の反発力に抗して蓋可動部１６が押し下げられ、各開口部１６ｃの開放方向に移動され、各開口部１６ｃによる開度が拡開調整される。図２は、蓋可動部１６が押し下げられて各開口部１６ｃの開度が最大になった状態を示している。
【００２８】
ここに、蓋可動部１６の各開口部１６ｃは、底部１６ｂ上に貯留する水による水圧の高低に応じて、その水圧で開度が拡縮調整される可動式開口部を構成している。また、蓋可動部１６の中心空間部と各開口部１６ｃにより、注水される水をディスポーザ本体８の破砕室８ａに案内する流水路２０を構成している。
【００２９】
本実施形態は以上のように構成されており、調理時に生じる生ゴミ等をディスポーザ本体８で処理する場合には、従来同様、厨芥投入口３ａより生ゴミ等をディスポーザ本体８の破砕室８ａに投入した後、その厨芥投入口３ａに投入口蓋１４を装着し、適宜給水量の注水状態でディスポーザ本体８を運転すれば、生ゴミ等の破砕が行える。
【００３０】
そして、給水量が適度な場合には、底部１６ｂ上に貯留する水による水圧で、両永久磁石１８、１９の反発力に抗して蓋可動部１６は所定量押し下げられ、適度な開度とされた各開口部１６ｃを通じて生ゴミ等の破砕・排出に必要な水を供給すると共に、底部１６ｂ上に安定して貯留する水の層を形成し、この貯留する水の層により破砕室８ａ内と外部、即ちシンク１内とを水封している。従って、この安定して貯留する水の層により安定した遮音効果が発揮できる。
【００３１】
また、集合住宅等のように隣近所の使用水量の変化によって水圧が変動して、給水量が少なくなった場合には、底部１６ｂ上に貯留する水の量が若干少なくなるが、この貯留する水の減少に伴って底部１６ｂに対する水圧が低くなるため、永久磁石１８、１９の反発力により蓋可動部１６が若干、押し上げられて各開口部１６ｃが閉鎖方向に移動され、各開口部１６ｃによる開度が縮閉調整される。
【００３２】
従って、破砕室８ａ内に供給される水の量が少なくなるが、底部１６ｂ上には一定水量の貯留する水の層を形成でき、この安定して貯留する水の層により安定した遮音効果が発揮できる。
【００３３】
これに対して逆に、水圧が変動して給水量が多くなった場合には、底部１６ｂ上に貯留する水の量が若干多くなるが、この貯留する水の増加に伴って底部１６ｂに対する水圧が高くなるため、永久磁石１８、１９の反発力に抗して蓋可動部１６が若干、さらに押し下げられて各開口部１６ｃが開放方向に移動され、各開口部１６ｃによる開度が拡開調整される。
【００３４】
従って、破砕室８ａ内に供給される水の量が多くなるが、シンク１内の水の滞積も有効に防止できると共に、底部１６ｂ上には一定水量の貯留する水の層を形成でき、この安定して貯留する水の層により安定した遮音効果も発揮できる。
【００３５】
以上のように、供給される給水量に多少の変動が生じた場合であっても、常に一定水量の水の層を貯留することができ、水封による安定した遮音効果が発揮できると共に、シンク１内における水の滞積も有効に防止できる利点がある。
【００３６】
従って、ディスポーザ本体８の運転時における給水量の調整も許容範囲が大きく、給水量の調整が容易に行える利点もある。
【００３７】
また、投入口蓋１４における流水路２０が、蓋可動部１６の円筒状に形成された周壁部の内部空間とその周壁部下端部に形成された開口部１６ｃとからなる構造であり、従来のようなトラップ部分を有した複雑な流水路構造と比較して、流水路２０が単純な構造となり、メンテナンス時における流水路２０の清掃も容易に行える利点がある。
【００３８】
図４および図５は、投入口蓋１４の第２の実施形態を示しており、第１の実施形態と同様構成部分は同一符号を付し、その説明を省略する。
【００３９】
即ち、本実施形態においては、保持蓋１７が合成樹脂等により厚肉に形成されており、永久磁石１８が保持蓋１７に埋設状に備えられた構造とされている。そして、互いの永久磁石１８、１９が吸引力を発揮するように異なる極が対向して配置されている。
【００４０】
従って、厨芥投入口３ａに装着された通常状態では、図４に示される如く、両永久磁石１８、１９の吸引力により、蓋可動部１６は上方に引き付けられた状態で蓋本体部１５に支持され、各開口部１６ｃの閉鎖方向に移動されており、各開口部１６ｃによる開度は少ない状態とされている。
【００４１】
そして、蛇口から供給される水の給水量が各開口部１６ｃを通じて流れ出る水量よりも多い場合には、投入口蓋１４上、即ち底部１６ｂ上に水が貯留し、この貯留する水による水圧が高くなると、両永久磁石１８、１９の吸引力に抗して蓋可動部１６が押し下げられ、各開口部１６ｃの開放方向に移動され、各開口部１６ｃによる開度が拡開調整される。図５は、蓋可動部１６が押し下げられて各開口部１６ｃの開度が最大になった状態を示している。
【００４２】
従って、本実施形態においても、第１の実施形態と同様に動作し、同様の効果を発揮する。
【００４３】
なお、本実施形態においては、両永久磁石１８、１９の内、いずれか一方が磁着可能な金属からなる構造であってもよい。
【００４４】
図６および図７は、投入口蓋１４の第３の実施形態を示しており、第１の実施形態と同様構成部分は同一符号を付し、その説明を省略する。
【００４５】
即ち、本実施形態においては、蓋本体部１５の中央部下部に有底円筒状の保持筒部１５ｃが一体に備えられた構造とされ、保持筒部１５ｃの周壁部上端部には周方向に等間隔を有して複数の開口部１５ｄが形成されている。
【００４６】
また、保持筒部１５ｃ内には、前記各開口部１５ｄの開度を拡縮調整すべく、キャップ状の蓋可動部１６が上下方向に摺動自在に保持されており、蓋可動部１６と保持筒部１５ｃの底部との間には弾性体としてのコイルバネ２２が収容配置されている。
【００４７】
さらに、保持蓋１７は保持筒部１５ｃ内から蓋可動部１６の離脱を防止すべく、蓋本体部１５の円形開口内に嵌合状とされる嵌合筒部１７ａを備えた構造とされている。
【００４８】
そして、厨芥投入口３ａに装着された通常状態では、図６に示される如く、蓋可動部１６はコイルバネ２２に弾支され、蓋本体部１５の保持筒部１５ｃ内における上方位置で支持され、各開口部１５ｄの閉鎖方向に移動されており、各開口部１５ｄによる開度は少ない状態とされている。
【００４９】
また、蛇口から供給される水の給水量が各開口部１５ｄを通じて流れ出る水量よりも多い場合には、投入口蓋１４上、即ち蓋可動部１６上に水が貯留し、この貯留する水による水圧が高くなると、コイルバネ２２の弾発力（復原力）に抗して蓋可動部１６が押し下げられ、各開口部１５ｄの開放方向に移動され、各開口部１５ｄによる開度が拡開調整される。図７は、蓋可動部１６が押し下げられて各開口部１５ｄの開度が最大になった状態を示している。
【００５０】
ここに、各開口部１５ｄと蓋可動部１６は、蓋可動部１６上に貯留する水による水圧の高低に応じて、その水圧で開度が拡縮調整される可動式開口部を構成している。また、嵌合筒部１７ａの中心空間部と各開口部１５ｄにより、注水される水をディスポーザ本体８の破砕室８ａに案内する流水路２０を構成している。
【００５１】
従って、本実施形態においても、第１の実施形態と同様に動作し、同様の効果が発揮できる。
【００５２】
図８および図９は、投入口蓋１４の第４の実施形態を示しており、第１の実施形態と同様構成部分は同一符号を付し、その説明を省略する。
【００５３】
即ち、本実施形態においては、蓋本体部１５における小径開口１５ｂ部分と、それに対向する蓋可動部１６の張出保持部１６ａ部分との相互間に、Ｏリング等からなる弾性リング体２４が配置された構造とされている。
【００５４】
そして、厨芥投入口３ａに装着された通常状態では、図８に示される如く、蓋可動部１６は弾性リング体２４に弾支された上方位置で蓋本体部１５に支持され、各開口部１６ｃの閉鎖方向に移動されており、各開口部１６ｃによる開度は少ない状態とされている。
【００５５】
また、蛇口から供給される水の給水量が各開口部１６ｃを通じて流れ出る水量よりも多い場合には、投入口蓋１４上、即ち底部１６ｂ上に水が貯留し、この貯留する水による水圧が高くなると、弾性リング体２４の弾発力（復原力）に抗して蓋可動部１６が押し下げられ、各開口部１６ｃの開放方向に移動され、各開口部１６ｃによる開度が拡開調整される。図９は、蓋可動部１６が押し下げられて各開口部１６ｃの開度が略最大になった状態を示している。
【００５６】
ここに、蓋可動部１６の各開口部１６ｃは、底部１６ｂ上に貯留する水による水圧の高低に応じて、その水圧で開度が拡縮調整される可動式開口部を構成している。また、蓋可動部１６の中心空間部と各開口部１６ｃにより、注水される水をディスポーザ本体８の破砕室８ａに案内する流水路２０を構成している。
【００５７】
従って、本実施形態においても、第１の実施形態と同様に動作し、同様の効果を発揮する。
【００５８】
図１０および図１１は、投入口蓋１４の第５の実施形態を示しており、第１の実施形態と同様構成部分は同一符号を付し、その説明を省略する。
【００５９】
即ち、本実施形態においては、蓋本体部１５の中央部下部に有底円筒状の保持筒部１５ｅが一体に備えられた構造とされ、保持筒部１５ｅの周壁部下端部には周方向に等間隔を有して複数の開口部１５ｆが形成されている。
【００６０】
また、保持筒部１５ｅの周壁部には、各開口部１５ｆを外周面側から閉塞すべく、ゴム等の弾性材からなる弾性円筒体２６が締付けバンド２７等を介して取り付け固定されている。この際、弾性円筒体２６は各開口部１５ｆよりも上方の位置で締付けバンド２７等により固定され、各開口部１５ｆに対応する高さ位置における弾性円筒体２６は、各開口部１５ｆに対応する部分を残して、周方向のその他の部分は切欠状として構成されている。
【００６１】
そして、厨芥投入口３ａに装着された通常状態では、図１０に示される如く、保持筒部１５ｅの各開口部１５ｆは弾性円筒体２６により略閉塞された状態とされており、各開口部１５ｆによる開度はほとんど閉鎖された状態とされている。
【００６２】
また、蛇口から水が供給されると保持筒部１５ｅ内に案内され、保持筒部１５ｅ内の水はその水圧で弾性円筒体２６をその弾発力に抗して外方に押し広げることにより、各開口部１５ｆを通じて破砕室８ａに案内される。そして、その供給される水の給水量が各開口部１５ｆを通じて流れ出る水量よりも多くなると、投入口蓋１４上、即ち保持筒部１５ｅ内に水が貯留し、この貯留する水による水圧が高くなると、図７に示される如く、弾性円筒体２６の弾発力（復原力）に抗してさらに弾性円筒体２６が外方に押し広げられ、各開口部１５ｆの開放方向に移動され、各開口部１５ｆによる開度が拡開調整される。
【００６３】
ここに、各開口部１５ｆと弾性円筒体は、保持筒部１５ｅ内に貯留する水による水圧の高低に応じて、その水圧で開度が拡縮調整される可動式開口部を構成している。また、投入口蓋１４の中心空間部および各開口部１５ｆにより、注水される水をディスポーザ本体８の破砕室８ａに案内する流水路２０を構成している。
【００６４】
従って、本実施形態においても、第１の実施形態と同様に動作し、同様の効果を発揮すると共に、前記蓋可動部１６を有しない構造であり、より構造の簡素化も図れる利点がある。
【００６５】
図１２および図１３は、投入口蓋１４の第６の実施形態を示しており、第４の実施形態と同様構成部分は同一符号を付し、その説明を省略する。
【００６６】
即ち、本実施形態においては、蓋本体部１５における小径開口１５ｂ部分と、それに対向する蓋可動部１６の張出保持部１６ａ部分との相互間に、第４の実施形態における中実の弾性リング体２４に換えて中空のチューブ状の弾性リング体２８が配置された構造とされている。
【００６７】
そして、厨芥投入口３ａに装着された通常状態では、図１２に示される如く、蓋可動部１６は弾性リング体２８に弾支された上方位置で蓋本体部１５に支持され、各開口部１６ｃの閉鎖方向に移動されており、各開口部１６ｃによる開度は少ない状態とされている。
【００６８】
また、蛇口から供給される水の給水量が各開口部１６ｃを通じて流れ出る水量よりも多い場合には、投入口蓋１４上、即ち底部１６ｂ上に水が貯留し、この貯留する水による水圧が高くなると、弾性リング体２８の弾発力（復原力）に抗して蓋可動部１６が押し下げられ、各開口部１６ｃの開放方向に移動され、各開口部１６ｃによる開度が拡開調整される。図１３は、蓋可動部１６が押し下げられて各開口部１５ｄの開度が略最大になった状態を示している。
【００６９】
ここに、蓋可動部１６の各開口部１６ｃは、底部１６ｂ上に貯留する水による水圧の高低に応じて、その水圧で開度が拡縮調整される可動式開口部を構成している。また、蓋可動部１６の中心空間部と各開口部１６ｃにより、注水される水をディスポーザ本体８の破砕室８ａに案内する流水路２０を構成している。
【００７０】
従って、本実施形態においても、第４の実施形態と同様に動作し、同様の効果を発揮する。
【００７１】
なお、第３の実施形態、第４の実施形態および第６の実施形態において、コイルバネ２２や弾性リング体２４、２８からなる弾性体が圧縮変形されて、その流水路２０における開度が拡開調整され、その復原力によりその開度が縮閉調整される構造を示しているが、弾性体が伸張変形することにより流水路２０における開度が拡開調整され、その復原力によりその開度が縮閉調整される構造であってもよい。
【００７２】
図１４および図１５は、投入口蓋１４の第７の実施形態を示しており、第３の実施形態と同様構成部分は同一符号を付し、その説明を省略する。
【００７３】
即ち、本実施形態においては、蓋本体部１５の中央部下部に有底円筒状の保持筒部１５ｃが一体に備えられた構造とされ、保持筒部１５ｃの周壁部上端部には周方向に等間隔を有して複数の開口部１５ｄが形成されている。
【００７４】
また、保持筒部１５ｃ内には、前記各開口部１５ｄの開度を拡縮調整すべく、中空円柱状の蓋可動部１６が上下方向に摺動自在に保持されると共に、保持筒部１５ｃの周壁部内周面と蓋可動部１６外周面とは適宜設けられたシール構造により気密状態で摺動可能な構造とされており、蓋可動部１６と保持筒部１５ｃの底部との間は密閉空間部としての密閉空気室３０を構成している。
【００７５】
そして、厨芥投入口３ａに装着された通常状態では、図１４に示される如く、蓋可動部１６は密閉空気室３０に収容されている空気の空気圧により蓋本体部１５の保持筒部１５ｃ内における上方位置で支持され、各開口部１５ｄの閉鎖方向に移動されており、各開口部１５ｄによる開度は少ない状態とされている。
【００７６】
また、蛇口から供給される水の給水量が各開口部１５ｄを通じて流れ出る水量よりも多い場合には、投入口蓋１４上、即ち蓋可動部１６上に水が貯留し、この貯留する水による水圧が高くなると、密閉空気室３０の空気圧に抗して蓋可動部１６が押し下げられ、各開口部１５ｄの開放方向に移動され、各開口部１５ｄによる開度が拡開調整される。図１５は、蓋可動部１６が押し下げられて各開口部１５ｄの開度が最大になった状態を示している。
【００７７】
ここに、各開口部１５ｄと蓋可動部１６は、蓋可動部１６上に貯留する水による水圧の高低に応じて、その水圧で開度が拡縮調整される可動式開口部を構成している。また、嵌合筒部１７ａの中心空間部と各開口部１５ｄにより、注水される水をディスポーザ本体８の破砕室８ａに案内する流水路２０を構成している。
【００７８】
従って、本実施形態においても、第１の実施形態と同様に動作し、同様の効果を発揮する。
【００７９】
なお、本実施形態において、密閉空気室３０の空気が圧縮されて、その流水路２０における開度が拡開調整され、密閉空気室３０の空気圧の復原によりその開度が縮閉調整される構造を示しているが、密閉空間部の空気が負圧化されて流水路２０における開度が拡開調整され、密閉空間部の空気圧の復原によりその開度が縮閉調整される構造であってもよい。
【００８０】
また、上記各実施形態における各開口部１５ｄ、１５ｆ、１６ｃの開口面積や数、開度等は必要に応じて適宜決定すればよい。
【００８１】
【発明の効果】
以上のように、本発明のディスポーザの投入口蓋によれば、投入口蓋の流水路に、投入口蓋上に貯留する水による水圧の高低に応じて、その水圧で開度が拡縮調整される可動式開口部が備えられている構造であり、給水量に変動が生じた場合であっても貯留する水による水圧の高低に応じて可動式開口部により流水路の開度が拡縮調整されるため、絶えず一定水量の貯留する水の層を形成でき、安定した遮音効果が発揮できると共に、シンク内の水の滞積も有効に防止できる利点がある。
【００８２】
また、可動式開口部は、投入口蓋に装着された磁性体の反発力もしくは吸引力により水圧が低い場合に開度が縮閉調整され、水圧が高い場合に磁性体の反発力もしくは吸引力に抗して開度が拡開調整される構造や、投入口蓋に装着された弾性体の復原力により水圧が低い場合に開度が縮閉調整され、水圧が高い場合に弾性体の復原力に抗して開度が拡開調整される構造や、投入口蓋に備えられた密閉空間部内に充填された空気の空気圧により水圧が低い場合に開度が縮閉調整され、水圧が高い場合に空気の空気圧に抗して開度が拡開調整される構造によって提供でき、上記同様の効果を奏する。
【図面の簡単な説明】
【図１】本発明の第１の実施形態にかかるディスポーザ取付け状態の一部断面図である。
【図２】同投入口蓋の拡大断面図である。
【図３】同動作説明図である。
【図４】第２の実施形態にかかる投入口蓋の断面図である。
【図５】同動作説明図である。
【図６】第３の実施形態にかかる投入口蓋の断面図である。
【図７】同動作説明図である。
【図８】第４の実施形態にかかる投入口蓋の断面図である。
【図９】同動作説明図である。
【図１０】第５の実施形態にかかる投入口蓋の断面図である。
【図１１】同動作説明図である。
【図１２】第６の実施形態にかかる投入口蓋の断面図である。
【図１３】同動作説明図である。
【図１４】第７の実施形態にかかる投入口蓋の断面図である。
【図１５】同動作説明図である。
【符号の説明】
１  シンク
２  排水口
３  取付け管
３ａ  厨芥投入口
８  ディスポーザ本体
８ａ  破砕室
１４  投入口蓋
１５  蓋本体部
１５ｄ  開口部
１５ｆ  開口部
１６  蓋可動部
１６ｂ  底部
１６ｃ  開口部
１８  永久磁石
１９  永久磁石
２０  流水路
２２  コイルバネ
２４  弾性リング体
２６  弾性円筒体
２８  弾性リング体
３０  密閉空気室
【図１】
2004290849.tif 000003
【図２】
2004290849.tif 000004
【図３】
2004290849.tif 000005
【図４】
2004290849.tif 000006
【図５】
2004290849.tif 000007
【図６】
2004290849.tif 000008
【図７】
2004290849.tif 000009
【図８】
2004290849.tif 000010
【図９】
2004290849.tif 000011
【図１０】
2004290849.tif 000012
【図１１】
2004290849.tif 000013
【図１２】
2004290849.tif 000014
【図１３】
2004290849.tif 000015
【図１４】
2004290849.tif 000016
【図１５】
2004290849.tif 000017